(57)【特許請求の範囲】
【請求項１】
身体の一部と直接に若しくは間接に接触して機能し、着座者の身体を支える受圧面を形作るクッション材であって、
弾性率において相違する二種以上の弾性素材を内包してなる略密実な弾性体より構成され、
硬質部と、身体より荷重を受ける受圧領域の少なくとも一部に設けられる前記硬質部より軟らかい軟質部とを具備してなり、
前記硬質部を前記軟質部の外周の全部に沿うように設けた上、硬質部を表面側に、軟質部を裏面側に配して両者を厚み方向に重ね合わせた積層構造とし、その表面を略平坦面に成形して、荷重を受けていない状態において前記受圧面を略平坦なものとしたクッション材。
【請求項２】
身体の一部と直接に若しくは間接に接触して機能し、着座者の身体を支える受圧面を形作るクッション材であって、
外形の包絡線の内に空乏を有することなく略密実な弾性体より構成され、
硬質部と、身体より荷重を受ける受圧領域の少なくとも一部に設けられる前記硬質部より軟らかい軟質部とを具備してなり、
前記硬質部を前記軟質部の外周の全部に沿うように設けた上、硬質部を表面側に、軟質部を裏面側に配して両者を厚み方向に重ね合わせた積層構造とし、その表面を略平坦面に成形して、荷重を受けていない状態において前記受圧面を略平坦なものとしたクッション材。
【請求項３】
前記軟質部が、身体の接触する部位の外形に略対応する形状に形成された請求項１又は２記載のクッション材。
【請求項４】
下面視人の臀部並びに股の付け根部分の外形に略対応する形状に前記軟質部を形成した請求項１、２又は３記載のクッション材。
【請求項５】
後面視略釣り鐘を逆さにしたような形状をなす前記軟質部を人の腰部より上方の部位に相当する高さ位置に形成した請求項１、２又は３記載のクッション材。
【請求項６】
前記硬質部と前記軟質部とが、硬さの相異なるウレタン層より構成されている請求項１、２、３、４又は５記載のクッション材。
【請求項７】
請求項１、２、３、４、５又は６記載のクッション材を利用するものであって、
前記クッション材の後面にバックアップ材を接合してなる部材を用いて構成される家具。
【請求項８】
前記バックアップ材が、略平板形状を有するものである請求項７記載の家具。
【請求項９】
前記部材が、人の臀部若しくは背を支持する機能を有するものである請求項７又は８記載の家具。
【発明の詳細な説明】
【０００１】
【発明の属する技術分野】
本発明は、特に家具製品を構成する部材として用いられるのに好適な、クッション材に関する。
【０００２】
【従来の技術】
例えば、椅子の背凭れに等に適用されるクッション材において、着座者の背が接触する上半部を着座者の腰が接触する下半部よりも軟らかいものとするというように、各々の部位でそのクッション性に変化をもたせるようにしたものがある。各部位でクッション性に変化をもたせるための具体的な手段としては、クッション材の内の所要部位にスプリングを埋設しその弾性の違いを層にしてクッション性を調整するようなものや、クッション材の所要部位に穴、スリット等の肉盗み部を切り欠き設けることによってクッション性を変化させるようなものを挙げることができる。
【０００３】
【発明が解決しようとする課題】
しかしながら、クッション材の内にスプリングを埋設する前者は、クッション材のみならずスプリングその他の別部材を必要とし部材の点数の増大を招く上、機構や加工工程を複雑化させて製造コストの高騰につながるため好ましくない。また、クッション材に肉盗み部を切り欠き設ける後者は、繰り返し使用されるにつれ肉盗み部周辺がへたりやすいという耐久性の弱点を有している。
【０００４】
このような問題に鑑みて、本発明は、極力簡易な構成で、クッション材の耐久性を担保しながら各々の部位でそのクッション性に変化をもたせて身体を快適に支持し得るようにすることを目的としている。
【０００５】
【課題を解決するための手段】
上述した課題を解決すべく、本発明では、身体の一部と直接に若しくは間接に接触して機能するクッション材を、弾性率において相違する二種以上の弾性素材を内包してなる略密実な弾性体より構成より構成し、硬質部と、身体より荷重を受ける受圧領域の少なくとも一部に設けられる前記硬質部より軟らかい軟質部とを具備するものとした。
【０００６】
即ち、クッション性に変化をもたせる目的で肉盗み部を切り欠き設けるのではなく、弾性率の相違する２種以上の弾性素材の層を組み合わせることとした。言い換えるならば、硬質部と軟質部とを具備するクッション材を外形の包絡線の内に空乏を有することなく略密実な弾性体よりなるものとしたのである。このようなものであれば、荷重を受けたときに軟質部がより大きく収縮変形し、硬質部とともに受圧面に凹面を形成して、身体の外面にフィットして好適な支持状態を実現することができる。しかも、硬質部と軟質部とをともに略密実な弾性体より構成し、外形を形成する基準線に空乏やスリット、連続的な凸凹等を設けていないことで、へたりにくく耐久性が高いものとすることが可能となっている。
【０００７】
前記軟質部は、身体の接触する部位の外形に略対応する形状に形成することが望ましい。例えば、本発明に係るクッション材をヘッドレストに適用する場合には、後頭部の外形に略対応する形状に形作ることが望ましい。
【０００８】
クッション材が、前記硬質部の少なくとも一部と前記軟質部の少なくとも一部とを厚み方向に重ね合わせた積層構造を有するものであれば、クッション材の耐久性やクッション作用の滑らかさを向上させることが可能である。なお、ここに言う厚み方向とは、クッション材が着座者より受ける荷重の方向に対して略平行な方向を指す。
【０００９】
クッション材の外形が略平板形状をなすように形成すれば、該クッション材を被う張り地を縫製等により張り設ける工程を簡略化することができる。
【００１０】
前記硬質部と前記軟質部とを硬さの相異なるウレタン層より構成することが、座り心地や耐久性、製造コストの見地から好適である。
【００１１】
そして、上記のクッション材の後面にバックアップ材を接合して家具用部材を構成し、該部材を種々の家具に適用すれば、所要のクッション性を有し使い心地のよい家具を製造することが可能となる。ここに言う家具とは、椅子、ベッド、ソファ、ベンチ、座椅子その他、身体の少なくとも一部を載置することができるもの一般を包含する概念である。また、家庭、オフィス、店舗内等に据え置いて使用するものには限られず、公共施設や乗り物内、屋外等において使用し得るものをも含む。このとき、前記部材が人の臀部若しくは背を支持する機能を有するものであれば一層好ましい、また、前記バックアップ材が略平板形状を有するものであれば、クッション材と該バックアップ材との接合の強度を容易に高めることができ、かつ構造が単純であることから製造コストを削減することにもつながる。
【００１２】
【発明の実施の形態】
以下、本発明の一実施形態を、図面を参照して説明する。本実施形態は、図１及び図２に示すように、劇場、ホールあるいはスタジアム等で使用される移動観覧席に本発明に係る家具たる椅子１を適用したものである。
【００１３】
該移動観覧席は、互いに高さの異なる段床２をそれぞれ前後移動可能な複数の脚構造体３により支持してなるもので、これら各段床２を前方に進出させて雛段状に展開した図１に示す展開位置と、後方に退避させて重合状態で所定の収納空間内に収納するようにした図２に示す収納位置との間で伸縮可能に構成してある。そして、各段床２上に、左右方向に沿って所定間隔に離間して設けた複数の支柱５と隣接する支柱５間に支持させた椅子本体とを具備してなる椅子１を配置している。
【００１４】
本実施形態における椅子１に関して、図３及び図４を参照して具体的に述べる。支柱５は、前後方向に亘って上下に延びる支柱本体にその前後縁部を被覆するカバーを取り付けてなる。支柱５の下端部はベース４に回動可能に枢支させてあり、該枢支点４１を支点として回動させて支柱５を図２、図４に示す倒伏姿勢、あるいは図１、図３に示す起立姿勢に保持し得るようにしている。
【００１５】
椅子本体は、座６と、背凭れ７と、肘掛け８とを具備してなる。座６は、支柱５の略中間高さ位置に設けた座枢支部５１に回動可能に枢支させてあり、着座者が椅子１を使用するときには座６を略水平な位置に回動させて着座することができ、着座者が席を立つときには想像線で示すように略垂直な位置にライジングさせて通路を確保することができる。因みに、座６には、略垂直な位置にライジング動作する方向にプリロードを加えてある。
【００１６】
肘掛け８は、下方に向けて開口を有し、その開口に支柱５の上端部を挿入した状態で支柱５に設けた肘掛け枢支部８１に枢支させてある。肘掛け８の後端部にはフィンを形成し、椅子１を倒伏姿勢に畳み込む際に支柱５の後縁部カバーに設けたフィンと噛み合うようにして、支柱５と肘掛け８とが相互に干渉することを抑止している。
【００１７】
背凭れ７は、背凭れ本体７１と、背凭れ本体７１の背面側に設けた背板７２と、背凭れ本体７１の側縁部に設けた側板７３とを具備する。背凭れ７の上端部は支柱５の斜め後方に延伸し、下端部はベース４に設けた図示しないリンク機構を介して可動に支持させてある。さらに、その中間高さ位置を肘掛け８の後端部８２に枢結している。
【００１８】
しかして、該椅子本体を支柱５とともに座６、背凭れ７及び肘掛け８を畳み込んだ図２、図４に示す倒伏姿勢、あるいはこれらを展開した図１、図３に示す起立姿勢に保持し得るようにしてある。即ち、使用時には段床２を展開位置に展開するとともに椅子１を段床２から起立させて起立姿勢とし、座面６ａを略水平、背凭れ面７ａを略垂直に設定して着座者が着座することができる使用状態をとることができる。かつ、収納時には椅子１を段床２に伏すように転動させた倒伏姿勢として座６と背凭れ７とを重ね合わせた畳み状態をとることが可能であり、しかる後に段床２を収納位置に退避させて重合状態で収納空間に格納することができる。
【００１９】
上述のような椅子１にあって、本実施形態では、座６並びに背凭れ７の外形を薄型の略平板形状とし、図２に示すような収納位置にあって倒伏状態Ｙの椅子１を好適に収納し得るようにしている。
【００２０】
詳述すると、座６は、図５及び図６に示すように、その内部で前後方向及び巾方向に亘って敷設して着座者による荷重を支持して座６を保形する略平板形状のバックアップ材６１と、該バックアップ材６１の両側部に起立配置した側板６２と、バックアップ材６１及び側板６２によって囲繞される領域を埋めるクッション材６３と、クッション材６３の外周を被覆する張り地６４とを具備するものである。
【００２１】
クッション材６３は、外形の包絡線の内に空乏を有することなく略密実な弾性体よりなり、荷重を受ける受圧領域が弾性変形することで着座時の衝撃を吸収する役割を果たす。クッション材６３の上面は略平坦面に成形してあり、荷重を受けていない状態において着座者の臀部を支持する受圧面たる座面６ａを略平坦なものとしている。そして、該クッション材６３を、略密実な硬質部６３１と、硬質部６３１より軟らかい略密実な軟質部６３２とを内包してなるものとする。具体的には、図５に示すように、下面視人の臀部並びに股の付け根部分の外形に略対応する形状に軟質部６３２を形成するとともに、該軟質部６３２の外周の一部若しくは全部に沿うように硬質部６３１を設けている。また、図６に示すように、側断面視バックアップ材６１の上面に接する領域に所定寸法を有する軟質部６３２を設け、かつ該軟質部６３２の上方、前方並びに後方の領域を埋めるように硬質部６３１を設けてある。即ち、軟質部６３２を設けた部位では、軟質部６３２と硬質部６３１とが厚み方向に積み重なった積層構造をなす。
【００２２】
本実施形態では、クッション材６３を構成する器材としてウレタンを用いている。即ち、硬質部６３１と軟質部６３２とが、硬さの相異なるウレタン層より構成される。例えば、所要の形状に成形した弾性率の比較的小さいスラブウレタン等を用いてなる軟質部６３２に、所要の形状に成形した弾性率の比較的大きいスラブウレタン、チップウレタン等を用いてなる硬質部６３１を接合して、クッション材６３を構成することができる。あるいは、クッション材６３を成形するための型に発泡率を変化させながらモールドウレタンを充填して、硬質部６３１と軟質部６３２とを形成することもできる。このときには、硬質部６３１と軟質部６３２との境界が必ずしも明確にならないこともあり得る。
【００２３】
このような座６に着座者の臀部が接触して荷重が加わったとき、軟質部６３２がより大きく収縮変形し、硬質部６３１とともに凹陥形状を形成する。この結果、座６の座面６ａが着座者の臀部や股の付け根部分に適切にフィットし、快適な支持状態を実現する。
【００２４】
背凭れ７は、既に述べたように、背凭れ本体７１の背面側に背板７２を接合してなるものであり、背凭れ本体７１の前向面に設定した受圧面たる背凭れ面７ａに着座者の背が接触する。背凭れ本体７１は、図７及び図８に示すように、その内部で上下方向及び巾方向に亘って敷設した略平板形状のバックアップ材７１１と、該バックアップ材７１１の前面に取り付けたクッション材７１２とを具備する。そして、バックアップ材７１１並びに背板７２によって着座者による荷重を支持し、背凭れ７を保形する。また、クッション材７１２の外周並びにバックアップ材７１１を被覆する張り地７１３を張り設けてある。因みに、バックアップ材７１１を省きクッション材７１２を直接に背板７２の前面側に取り付ける態様を妨げず、この場合には該背板７２が本発明に係るバックアップ材として機能する。
【００２５】
背凭れ本体７１のクッション材７１２もまた、外形の包絡線の内に空乏を有することなく略密実な弾性体よりなり、荷重を受ける受圧領域が弾性変形することで着座時の衝撃を吸収する役割を果たす。クッション材７１２の前向面は略平坦面に成形してあり、荷重を受けていない状態において着座者の背を支持する受圧面たる背凭れ面７ａを略平坦なものとしている。そして、該クッション材７１２を、略密実な硬質部７１２１と、硬質部７１２１より軟らかい略密実な軟質部７１２２とを内包してなるものする。具体的には、図７に示すように、略後面視釣り鐘を逆さにしたような形状をなす軟質部７１２２を人の腰部より上方の部位に相当する高さ位置に形成し、該軟質部７１２２の外周の一部若しくは全部に沿うように硬質部７１２１を設けている。
【００２６】
軟質部７１２２の下端は、いわゆる背凭れ点Ｗに対応する。椅子の背凭れを造る場合、背凭れ点Ｗより上方では相対的に後方に凹ませ、背凭れ点より下方では相対的に前方に膨出させることが好ましく、このようなものであれば人の背骨の湾曲形状に対応した自然なものとなり、着座者にとって疲れにくく座り心地の良いものとなる。このような理由に基づき、背凭れ本体７１のクッション材７１２を上記のように構成している。
【００２７】
また、図８に示すように、側断面視バックアップ材７１１の前面に接する領域に所定寸法を有する軟質部７１２２を設け、かつ該軟質部７１２２の前方、上方並びに下方の領域を埋めるように硬質部７１２１を設けてある。即ち、軟質部７１２２を設けた部位では、軟質部７１２２と硬質部７１２１とが厚み方向に積み重なった積層構造をなす。因みに、クッション材７１２の上縁部に存在する硬質部７１２１は、該クッション材７１２を被覆するように張り設けた張り地７３の弛みを防止するために有効に機能する。クッション材７１２を構成する器材については、座６のものと同様であるため説明を省略する。
【００２８】
このような背凭れ７に着座者の背が接触して荷重が加わったとき、軟質部７１２２がより大きく収縮変形し、硬質部７１２１とともに凹陥形状を形成する。しかも、前記背凭れ点Ｗより下方の部分は相対的に前方に膨出した状態となり、結果として、背凭れ７の背凭れ面７ａが着座者の背に適切にフィットし、快適な支持状態を実現する。
【００２９】
総じて言えば、座６、背凭れ７を薄型の略平板形状に構成したものであるにもかかわらず、高レベルな座り心地を実現することが可能となっている。さらには、座り心地を担保しながら座６、背凭れ７を薄型の略平板形状に形成できるから、デザインの自由度も高まる。
【００３０】
従って上記実施形態によれば、着座者の臀部、背等の、身体の一部と直接に若しくは間接に接触して機能するクッション材６３、７１２を、弾性率において相違する二種以上の弾性素材を内包してなり、外形の包絡線の内に空乏を有することなく略密実な弾性体より構成し、硬質部６３１、７１２１と、身体より荷重を受ける受圧領域の少なくとも一部に設けられる前記硬質部６３１、７１２１より軟らかい軟質部６３２、７１２２とを具備するものとしたことにより、荷重を受けたときに軟質部６３２、７１２２がより大きく収縮変形し、硬質部６３１、７１２１とともに受圧面に凹面を形成して、身体の外面にフィットして好適な支持状態を実現することができる。しかも、硬質部６３１、７１２１と軟質部６３２、７１２２とをともに略密実な弾性体より構成し、外形を形成する基準線に空乏やスリット、連続的な凸凹等を設けていないことで、へたりにくく耐久性が高いものとすることが可能となっている。
【００３１】
前記軟質部６３２、７１２２を、身体の接触する部位の外形に略対応する形状に形成しているため、ユーザにとっての使い心地を効果的に高めることが可能となっている。
【００３２】
クッション材６３、７１２が、前記硬質部６３１、７１２１の少なくとも一部と前記軟質部６３２、７１２２の少なくとも一部とを厚み方向に重ね合わせた積層構造を有するものであることから、軟質部６３２、７１２２が非常に軟らかい場合にも着座者がバックアップ材６１、７１１の硬さを感じて違和感や痛みを覚えるというようなことを防止できる。また、クッション材６３、７１２の耐久性をより高めることも可能となる。
【００３３】
クッション材６３、７１２の外形が略平板形状をなすように形成してあるため、該クッション材６３、７１２を被う張り地６４、７１３を縫製等により張り設ける工程を簡略化することができる。加えて、クッション材６３、７１２とバックアップ材６１、７１１との接合の強度を容易に高めることができる。
【００３４】
前記硬質部６３１、７１２１と前記軟質部６３２、７１２２とを硬さの相異なるウレタン層より構成することは、使い心地や耐久性、製造コストの見地から好適である。
【００３５】
そして、上記のクッション材６３、７１２の後面にバックアップ材６１、７１１を接合して家具用の部材、即ち椅子１用の部材である座６、背凭れ７を構成しており、所要のクッション性を有し座り心地のよい椅子１を製造することが可能となっている。座６、背凭れ７は、人の臀部若しくは背を支持する機能を有するものであり、多数のユーザにとって有益な家具製品となる。
【００３６】
また、前記バックアップ材６１、７１１が略平板形状を有するものであれば、クッション材６３、７１２と該バックアップ材６１、７１１との接合の強度を容易に高めることができ、かつ構造が単純であることから製造コストを削減することにもつながる。
【００３７】
さらに、本実施形態に係る座６、背凭れ７は、全体の外形が略平板形状をなすように構成してあるため、椅子１を積み重ねて収納する場合における安定性や省スペース性に寄与し得るものとなっている。
【００３８】
なお、本発明は以上に詳述した実施形態に限られるものではない。特に、クッション材を構成する器材や、硬質部、軟質部の形状等は、上記実施形態以外にも種々の態様にて構成することができる。即ち、ウレタン以外の素材をクッション材に用いることも可能であり、あるいは、図９に例示するように軟質部６３２を表面側に設け硬質部６３１を裏面側に設けた積層構造を有するクッション材６３や、図１０に例示するように硬質部６３１と軟質部６３２とが積層構造をなさないクッション材６３等を構成することも可能である。加えて、弾性率の相違する３種類以上の素材を用いてクッション材を構成することも考えられる。
【００３９】
また、クッション材、バックアップ材に、ボルト挿通孔のごとき凹陥部を形成することを妨げない。
【００４０】
本発明に係るクッション材を適用する対象となりうる家具あるいは家具用の部材は、椅子の座、背凭れには限られず、ヘッドレスト、ベッドのマットレス、肘掛けその他種々の部材に本発明を適用することが可能である。
【００４１】
その他各部の具体的構成は上記実施形態に限られるものではなく、本発明の趣旨を逸脱しない範囲で種々変形が可能である。
【００４２】
【発明の効果】
以上に詳述したように、本発明によれば、クッション材の耐久性を担保しながら、各々の部位でそのクッション性に変化をもたせて身体を快適に支持し得るものとなる。
【図面の簡単な説明】
【図１】本発明の一実施形態に係る移動観覧席を示す側面図。
【図２】同側面図。
【図３】同実施形態に係る椅子を示す側面図。
【図４】同側面図。
【図５】同実施形態に係る座とそのクッション材を示す横断面図。
【図６】同側断面図。
【図７】同実施形態に係る背凭れ本体とそのクッション材を示す横断面図。
【図８】同側断面図。
【図９】クッション材の変形例を示す側断面図。
【図１０】クッション材の変形例を示す側断面図。
【符号の説明】
１…椅子（家具）
６…座（部材）
６ａ…座面（受圧面）
７…背凭れ（部材）
７ａ…背凭れ面（受圧面）
６１、７１１…バックアップ材
６３、７１２…クッション材
６３１、７１２１…硬質部
６３２、７１２２…軟質部
【図１】
0004173675.tif 000002
【図２】
0004173675.tif 000003
【図３】
0004173675.tif 000004
【図４】
0004173675.tif 000005
【図５】
0004173675.tif 000006
【図６】
0004173675.tif 000007
【図７】
0004173675.tif 000008
【図８】
0004173675.tif 000009
【図９】
0004173675.tif 000010
【図１０】
0004173675.tif 000011